(57)【要約】      （修正有）【課題】バーに一定以上の加重が掛かった時のみ、バー載置部を回動させてバーを落下させるようにし、バーを折損したり或いは負傷することを防ぐ。【解決手段】片端から長手方向内部に内倉部８を有し、該内倉部の端部には、固定体Ｂと回動自在に軸着された略Ｄ字形を呈する軸体１５を備え、この軸体の平面部と側面を接する形でスプリング５を内装した略コ字形を呈する枠体１６を設け、これから長手方向の上面と下面は平坦面状を呈しているバー載置部４を形成している回転体Ａと、回転体Ａの平坦面状を呈しているバー載置部の上下端部に突起部６を設け、更に、回転体Ａの長手方向先端部にかけ、自重の軽量化のため抉削段差部７を有する。【選択図】図２
0003130113.tif 000002
【実用新案登録請求の範囲】
【請求項１】
高さを所望する位置に調節でき、且つ支柱に固定可能な陸上競技の高跳び競技用バー支持具において、
片端から長手方向内部に内倉部８を有し、該内倉部の端部には、固定体Ｂと回動自在に軸着された略Ｄ字形を呈する軸体１５を備え、この軸体の平面部と側面を接する形でスプリング５を内装した略コ字形を呈する枠体１６を設け、これから長手方向の上面と下面には平坦面状を呈しているバー載置部４を形成している回転体Ａと、
支柱用の孔１１と開口部１３を備えた略Ｃ字形を呈する固定体Ｂとの主要な二つの要素で構成されたことを特徴とする陸上競技の高跳び競技用バー支持具。
【請求項２】
平坦面状を呈しているバー載置部４の上下端部に突起部６を設けたことを特徴とする請求項１に記載の高跳び競技用バー支持具。
【請求項３】
回転体Ａの長手方向先端部にかけて、自重の軽量化のため抉削段差部７を有することを特徴とする請求項１または請求項２に記載の陸上競技の高跳び競技用ポール支持具。
【考案の詳細な説明】
【技術分野】
【０００１】  本考案は、学校や地域施設のグランド等で練習にのみ使用されることを想定した、陸上競技に使用される高跳び競技用のバー支持具に関するものである。
【背景技術】
【０００２】  陸上競技に使用される高跳び競技用のバー支持具には、検定を受けた公式競技に使用されるものと、学校や地域の施設で使用される未検定の練習用のものとがある。
公式競技に使用されるものは、競技者がバーに触れた場合は、容易に落下することが求められている。しかしながら、競技に失敗した競技者がバーとともに落下して、バーの上に載った形で着地し、バーを折損することや、或いはバーに強打して負傷することもしばしば発生している事実がある。
一方、練習時にあっては多少の失敗の場合、バーは落下して欲しくないときもあるのもまた事実である。
【考案の開示】
【考案が解決しようとする課題】
【０００３】    そこで出願人は、正式な競技会は別にして、練習中において競技に失敗したときは、
いち早くバーが落下してはかかる事態の発生を少しでも予防するとともに、軽い衝撃の範囲内の失敗ではバーの落下を阻止し、一定以上の衝撃が加わった時にのみ落下するバー支持具を提供しようとするものである。
【課題を解決するための手段】
【０００４】  上記目的を達成するため本考案の高跳び競技用バー支持具は、高さを所望する位置に調節でき、且つ支柱に固定可能な陸上競技の高跳び競技用バー支持具において、
片端から長手方向内部に内倉部を有し、該内倉部の端部には、固定体Ｂと回動自在に軸着された略Ｄ字形を呈する軸体を備え、この軸体の平面部と側面を接する形でスプリングを内装した略コ字形を呈する枠体を設け、これから長手方向の上面と下面には平坦面状を呈しているバー載置部を形成している回転体Ａと、
支柱用の孔と開口部を備えた略Ｃ字形を呈する固定体Ｂとの主要な二つの要素で構成し、
また、回転体Ａの平坦面状を呈しているバー載置部の上下端部に突起部を設け、更に回転体Ａの先端部長手方向にかけ自重の軽量化のため抉削された段差部を有することを特徴としている。
【考案の効果】
【０００５】  本考案は以下の効果を奏するものである。
（１）固定体Ｂは、支柱用孔１１に支柱１が挿入され、開口部１３をハンドル１２で閉口して支柱に固定する役目を果たすものであるから、支柱１を支柱用孔１１の全周面で捕らえ、その締め付けは強固であり、固定は確実なものとなる。また、ハンドルの回転で容易に閉口状態を解くことができるので固定位置の移動も平易に可能である。【０００６】（２）回転体Ａの長手先端方向の両面壁には、抉削段差部７を有しているため自重の軽量化が図られているので、該品を支柱に取付けたり、固定位置を移動したりする操作性が良い。したがって、不特定多数の人が取扱う学校などでの利便性が高い。【０００７】（３）回転体Ａの内倉部８には略コ字形を呈する枠体１６を備え、該枠体にスプリングが内装されていて、この枠体の側面は、固定体Ｂと軸着されている略Ｄ字形を呈する軸体１５の平面部と接しているので、バー載置部４に一定以上の衝撃が加われば回転体Ａは回動し、素早くバーを落下させる。しかもその復元もスプリングの反発力で一定の範囲内であれば自動的に成され、手動によれば３６０度回転可能である。【０００８】（４）バー載置部は回転体Ａの長手方向の上下に設けてある事、回転体Ａが３６０度回転可能である事から、当該品は左右に配される何れの支柱にも使用可能となっているので、共通部材となりその分安価に提供できる。【０００９】（５）練習用においては、本来バーが落下して欲しくない程度の衝撃が加えられたときは、バー載置部４の先端部に突起部６を設けているので、一定の衝撃までは該突起部が止壁の役目を発揮しバーの落下を止める。
【考案を実施するための最良の形態】
【００１０】  本考案を構成する主要な二つの要素である回転体Ａと固定体Ｂは、耐衝撃性や耐久性並びに自重の軽量化などを考慮し、共にアルミダィキャストで作られることが望ましく、
回転体Ａの内倉部８に設けられるコ字形を呈する枠体１６、この枠体に収められるスプリング５並びに固定体Ｂと軸着されるＤ字形を呈する軸体１５は、耐食性を考慮し共にステンレス製であることが最良である。【００１１】  競技者が競技に失敗してバーに一定以上の衝撃が加わった時に、回転体Ａが下方に回動し、素早くバーを載置部から落下させる役目を果たす本考案の要部、即ち、内倉部８に設けられる略コ字形を呈する枠体１６にスプリング５が内装されている部位の作動は、スプリングによってなされるから、高跳びのバーの自重は最大で２ｋｇである事が求められているので、３ｋｇ程度以上の衝撃が加えられたときからバーが落下すよう設計されることが望まれる。【００１２】  固定体Ｂは、支柱にこの指示具を固定する役目を果たすものであるから、その締め付けは強固で、且つ固定は確実なものでなければならず、その作用は支柱用孔１１に挿入された支柱１に、ハンドル１２で開口部１３を閉口して行われるもので、開口部１３の開き幅は支柱の径との関係で求められる。
陸上競技連盟の規定よれば、支柱は堅固であればどんな形でも差し支え無いが、バー止めはしっかりと取り付けられることが求められている。このことは、練習用のものであっても同様である。
従って、本考案の用途における支柱は通常の場合、直径３２ｍｍであるから開口幅は５ｍｍから１０ｍｍ程度以内で設計されれば、支柱１を支柱用孔１１の全周面で捕られるので固定が確実に行うことができ且つ、ハンドルの回転数が適当で容易に閉口状態を解くことができ固定位置の移動も平易に可能である。
【実施例】
【００１３】  図面に示す実施例に基づき本考案を説明すると、図１は本考案に係る陸上競技の高跳び競技用バー支持具の使用時の状態を示し、図２は図１の状態において、考案の要部を一部切欠図で示しており、図３はその作動説明図で、図４は図１及び図２の状態における要部の説明図であり、図５は図３の作動時状態における要部の状態を説明する図である。【００１４】  本考案は回転体Ａと固定体Ｂとの主要な二つの要素から構成されていて、回転体Ａは、片端から長手方向内部に内倉部８を有し、該内倉部の端部には、固定体Ｂと回動自在に軸着された略Ｄ字形を呈する軸体１５を備え、この軸体の平面部と側面を接する形でスプリング５を内装した略コ字形を呈する枠体１６の設け、これから長手方向の上面と下面は平坦面状を呈しているバー載置部４を形成していて、その上下面の先端部には突起部６が設けられている。更に、長手先端方向の両側壁に抉削段差部７を有するとともに、該部の上下面は平面を呈するバー載置部４を形成している。【００１５】  各部位について更に詳細に説明すれば、固定体Ｂとの回動自在な状態を得る回転体Ａの軸着は内倉部端部に配された軸体１５でなされ、座金９が当てられてネジ１０で行われる。
内倉部に備えられた枠体１６に内装されたスプリング５は、この回転体Ａを、一定以上の衝撃が加えられた時下方に回動したり、はたまた、回動状態から一定の範囲内で自動的に前の状態に復元する役目を果たすものであり、長手先端方向部の両側壁に設けられた抉削段差部７は自重の軽量化を図るもので、その先端部上下に設けられた突起部６は、載置されたバーに一定以上の力が加えられるまでは落下せずに載置部４に止まる役目を果たすものである。【００１６】  固定体Ｂは支柱用孔１１と開口部１３を形成し、略Ｃ字形を呈する部材で、開口部１３は備えられたハンドル１２で閉口される。このことで、支柱用孔１１に挿入された支柱をその内周壁の全周面で包み込む形で強固に締付け固定するものである。【００１７】  回転体Ａは固定体Ｂと手動によれば３６０度回動自在に軸着されて一体的な状態を呈しており、図１に示したように、バー２の端末部３が、水平状態を保持しているバー載置部４に乗せられて競技は開始される。【００１８】  例えばここで、競技者がバー３を越えられずにバーに乗るような形で競技失敗をし、バー端末部３に一定以上の加重がかった場合、バー載置部４を下方に押しながら図３の矢印で説明しているように落下して行く。この時回転体Ａは、内倉部８内の枠体１６に内装されているスプリング５が圧縮され、バーが完全に載置部４から離脱落下する位置まで回動するが、一定の範囲内で前記スプリングの反発によって回動前の位置まで自動的に復帰する。
つまり、該スプリング５によって図中矢印で示したような作用を回転体Ａが行うものである。
固定体Ｂは、回転体Ａが以上のような作用を行っているときも何ら影響を受ける事無く支柱１との強固な固定状態を常時保持し続ける。【００１９】  より詳細に図１と図２の状態における場合と、前記図３の状態における場合と要部の作動に付き図４と図５で説明すれば、図４は図１と図２における要部の状態を示しており、内部８内にはコ字形を呈する枠体１６にスプリング５が図示の通常形で収められていて、枠体１６の側面と回転体Ｂと軸着されている略Ｄ字形を呈する軸体１５の平面部は密着している。【００１８】  図５は、図３のようにバーに衝撃が加えられ、回転体Ａが回動してバーが落下したときの要部の作動状態を説明するもので、バー載置部４が下方に押されることで枠体１６は下方を向き、枠体１６の側面と軸体１５の平面部とは、バーに加えられる衝撃に応じて図中矢印で示すように開口角度αを大きくする。ここで、一定の開口角度α内であればスプリング５の反発力で枠体は自動的に前位置に戻るので、再び図１状態を呈することとなる。
【産業上の利用可能性】
【００１９】  以上のように、本考案は回転体Ａと固定体Ｂとの主要な二つの要素から構成されていて、これら二つの要素は其々異なる役目を果たすものであって、二体は最終的な加工で軸着されるもので、それにいたる過程で問題となる点も無く、且つ然したる困難なものでもない事から製造上の課題は無い。また、本考案の支持具は、左右に配された支柱に取り付け使用されるものではあるが、回転体が３６０度回動自在であるところから左右別なく取付け使用可能となっているので、安価に提供する事ができるので大いなる需要を見込むことができ、産業上の利用可能性は頗る高い。
【図面の簡単な説明】
【００２０】
【図１】本考案の陸上競技の高跳び競技用バー支持具を説明する図である。
【図２】図１の一部切欠図で本考案の要部構成を説明する図である。
【図３】本考案の作動を説明する図である。尚、この図ではバー載置部先端部上下に突起部を設けない実施例で説明している。
【図４】図１及び図２の状態における本考案要部の拡大説明図である。
【図５】図３における作動時の要部を説明する図である。
【符号の説明】
【００２１】Ａ回転体    Ｂ固定体    α開口角度
１支柱    ２バー    ３バー端末部    ４バー載置部    ５スプリング    ６突起部
７抉削段差部    ８内倉部    ９座金    １０ネジ
１１支柱用孔    １２ハンドル    １３開口部    １５軸体    １６枠体
【図１】
0003130113.tif 000003
【図２】
0003130113.tif 000004
【図３】
0003130113.tif 000005
【図４】
0003130113.tif 000006
【図５】
0003130113.tif 000007